(57)【要約】      （修正有）【課題】紙パック底部を少ない力で紙パックから切り離し、紙パック側面を安定して切り開くことのできる紙パックカッターを提供する。【解決手段】断面Ｌ字型のガイドの水平部１の上下に刃先を備えた刀身を取りつけた紙パックカッターおよび刀身に相当するカッター刃が装着されたカッターホルダー９に支持板１１を介して断面Ｌ字型ガイドを取り付けて紙パックカッターを形成する。【選択図】図５
0003182416.tif 000002
【実用新案登録請求の範囲】
【請求項１】
断面Ｌ字型のガイドの水平部の上下に、刃先を備えた刀身を取り付けた紙パックカッター。
【請求項２】
請求項１の刀身に相当するカッター刃が装着されたカッターホルダーに、支持板を介して、請求項１と同じ位置関係で断面Ｌ字型ガイドを取り付けた紙パックカッター。
【考案の詳細な説明】
【技術分野】
【０００１】
本考案は、牛乳パック等の紙パック（以下、「紙パック」と略す。）を容易に切り開くカッターに関する。
【背景技術】
【０００２】
直方体の形状をした紙パックを切り開いてリサイクルするためのカッターは数多く発明・考案されていて、その一部は市販されているが、後述する使い勝手の悪さから普及していない。
【先行技術文献】
【特許文献】
【０００３】
【特許文献１】実用新案公開平７−３７０４８
【特許文献２】登録実用新案第３１４０５８４号
【特許文献３】特許公開２００３−５４６８９
【考案の概要】
【考案が解決しようとする課題】
【０００４】
紙パックを切り開くカッターとしては、まず、実用新案公開平７−３７０４８に代表される、紙パックの稜線に沿った断面Ｖ字型のガイド（以下、「Ｖ字ガイド」と略す。）を持つものがある。
【０００５】
Ｖ字ガイドを持つ紙パックカッター（以下、「Ｖ字カッター」と略す。）は、実用新案公開平７−３７０４８図３に見られるように、Ｖ字ガイドの左右のガイド面から等角度に刀身が設けられている。
【０００６】
このため、紙パックの底部を切り開くときには、折りたたまれて硬く接着された底部の稜線や頂点を切らなければならず、強い力を必要とする。
【０００７】
また、紙パックの側面同士が作る稜線を切るときには、切るために押し付ける力に対して紙パックが十分な強度を持たないため、切る作業が不安定になり、切り残しが生じやすい。
【０００８】
紙パックを切り開くカッターとしては、次に、登録実用新案第３１４０５８４号に代表される、断面Ｌ字型のガイド（以下、「Ｌ字ガイド」と略す。）を持つものがある。
【０００９】
Ｌ字ガイドを持つ紙パックカッター（以下、「Ｌ字カッター」と略す。）は、登録実用新案第３１４０５８４号図３に見られるように、刀身がＬ字ガイドの垂直部のガイド面から一定の距離をおいて平行に、Ｌ字ガイドに設けられている。
【００１０】
このため、紙パックの底部を切り開くときには、比較的切りやすい紙パック側面部分を、底部稜線から一定の距離をおいた部分で底部稜線に平行に切るので、折りたたまれて硬く接着された底部の稜線や頂点を切らなければならないＶ字カッターほどの力を必要としない。
【００１１】
しかしながら、紙パックの側面同士が作る稜線近辺を稜線に平行に切るときには、Ｖ字カッター同様、切るために押し付ける力に対して紙パックが十分な強度を持たないため、切る作業が不安定になり、切り残しが生じやすい。
【００１２】
紙パックの側面稜線を切るときの不安定さを解消する発明としては、特許公開２００３−５４６８９が挙げられる。
【００１３】
この発明においては、図７に見られるように、紙パックの側面稜線を切るときに紙パックを押し付ける力ではなく引く力が働くため、紙パックの変形による切り開く作業の不安定さは軽減される。
【００１４】
しかしながら、特許公開２００３−５４６８９はＶ字カッターであるため、紙パックの底部を切り開くときには、他のＶ字カッター同様、強い力を必要とする。
【課題を解決するための手段】
【００１５】
こうした従来技術の課題を解決するため、本考案は、Ｌ字ガイド水平部１の下面に、Ｌ字ガイド垂直部２の内面から一定の距離をおいてＬ字ガイド垂直部２に平行に、下部刃先４を有する下部刀身３を設ける。また、Ｌ字ガイド水平部１の上面にも、下部刀身３の延長もしくは並行の位置に上部刃先６を有する上部刀身５を設ける。上部刀身５の延長上には取っ手７を設ける。
【考案の効果】
【００１６】
本考案を使用することにより、少ない力で紙パック底部を切り開くことができ、安定して紙パックの側面稜線付近を切り開くことができる。
【図面の簡単な説明】
【００１７】
【図１】本考案第１実施形態の側面図である。
【図２】本考案第１実施形態の正面図である。
【図３】本考案第１実形態を用いて、紙パック側面部分を底部稜線から一定の距離をおいた部分で底部稜線に平行に切ることにより、紙パックの底部を切り開く場合の使用方法を図示したものである。
【図４】本考案第１実施形態を用いて紙パック側面稜線近辺を稜線に平行に切り開く場合の使用方法を図示するものである。
【図５】本考案第２実施形態の側面図である。
【図６】本考案第２実施形態の平面図である。
【図７】本考案第２実施形態の下面図である。
【図８】本考案第２実施形態の正面図である。
【図９】本考案第２実施形態の背面図である。
【考案を実施するための形態】
【００１８】
本考案実施形態を図に沿って説明する。
【００１９】
図１は、本考案第１実施形態の側面図、図２は正面図である。
【００２０】
Ｌ字ガイド水平部１下面に、Ｌ字ガイド垂直部２の内面から一定の距離（この「一定の距離」とは、紙パック底部の厚みに若干のゆとりを持たせた長さを表す。）をおいてＬ字ガイド垂直部２の内面に平行に、下部刃先４を有する下部刀身３を設ける。この下部刃先４とＬ字ガイド水平部１下面のなす角度は、切削方向において鈍角とする。また、Ｌ字ガイド水平部１の上面にも、下部刀身３の延長上もしくは並行の状態で、上部刃先６を有する上部刀身５を設ける。この上部刃先６とＬ字ガイド水平部１上面のなす角度は、切削方向において鋭角とする。上部刀身５の延長上には取っ手７を設ける。
【００２１】
図３、図４は、本考案第１実施形態を使用して紙パックを切り開くときの使用方法を説明する図である。
【００２２】
まず最初に、図３にあるように、紙パック８の底面にＬ字ガイド垂直部２の内面を、紙パック８の側面にＬ字ガイド水平部１の下面をそれぞれ当て、下部刃先４（図３では、下部刀身３の向こう側となる。）に紙パック８の側面稜線を当てた後に、下部刃先４の刃先方向に考案全体を動かすことによって、紙パック側面部分を底部稜線から一定の距離をおいた部分で底部稜線に平行に切る。
【００２３】
前段落記述の作業を、紙パック８の側面を変えて３回続けることにより、紙パック８の底部は１辺を除いて切り離され、底部が開放された断面正方形の筒状となる。
【００２４】
次に、図４にあるように、正方形の筒状となった紙パック８の側面内側にＬ字ガイド垂直部２の外面を、前述紙パック８の側面に連続する他の側面内側にＬ字ガイド水平部１の上面をそれぞれ当て、上部刃先６（図４では、上部刀身５の向こう側となる。）を、前段落で切り開かれた紙パック８の切断線に当てた後に、上部刃先６の刃先方向に考案全体を動かすことによって、紙パック８側面の側面稜線から一定の距離をおいた部分を、側面稜線に平行に切り開く。
【００２５】
上述の作業により、紙パック８は、リサイクルに適した形状に展開される。
【００２６】
図５、６、７、８、９、は、本考案第２実施形態を説明する図である。第２実施形態では、第１実施形態では上部・下部に分かれている刀身を一体化する。また、刀身としてカッター刃を利用できる形態とする。
【００２７】
図５は本考案第２実施形態の側面図である。
【００２８】
カッターホルダー９に、Ｌ字ガイド支持板１１を取り付ける。Ｌ字ガイド支持板１１は、カッター刃１０が紙パックを切り開くときの障害とならないようカッター刃１０と同一平面上に位置する。
【００２９】
Ｌ字ガイド支持板１１は、Ｌ字ガイド水平部１およびＬ字ガイド垂直部２を支持する。Ｌ字ガイド水平部１およびＬ字ガイド垂直部２とカッター刃１０との位置関係は、本考案第１実施形態におけるＬ字ガイド水平部１およびＬ字ガイド垂直部２と上部刀身５・下部刀身３との位置関係と同じとする。
【００３０】
ただし、カッター刃１０はＬ字ガイド水平部１に直接は取り付けず、また、カッター刃１０の折り取りの障害とならないよう、Ｌ字ガイド水平部１はカッター刃１０の先端部から一定の空隙を設けた形状とする。
【符号の説明】
【００３１】
１Ｌ字ガイド水平部
２Ｌ字ガイド垂直部
３下部刀身
４下部刃先
５上部刀身
６上部刃先
７取っ手
８紙パック
９カッターホルダー
１０カッター刃
１１Ｌ字ガイド支持板
【図１】
0003182416.tif 000003
【図２】
0003182416.tif 000004
【図３】
0003182416.tif 000005
【図４】
0003182416.tif 000006
【図５】
0003182416.tif 000007
【図６】
0003182416.tif 000008
【図７】
0003182416.tif 000009
【図８】
0003182416.tif 000010
【図９】
0003182416.tif 000011
【手続補正書】
【提出日】平成25年1月3日(2013.1.3)
【手続補正１】
【補正対象書類名】実用新案登録請求の範囲
【補正対象項目名】請求項２
【補正方法】変更
【補正の内容】
【請求項２】
カッターホルダーにＬ字ガイド支持板を取り付けて、当該Ｌ字ガイド支持板により、前記断面Ｌ字型ガイドの水平部及び垂直部を支持することを特徴とする請求項１記載の紙パックカッター。